(57)【要約】【課題】  電源容量の低減化を図りつつも、給湯制御上の応答性悪化を招かないようにし得る給湯制御方法を提供する。【解決手段】  １００msecの制御周期の到来毎に温度や流量についての検出値からバイパス弁及び水量調整弁の要求駆動量の演算を行う。バイパス弁完全優先モードでは、バイパス弁の要求駆動量について先に単独駆動させ、完全停止後に１周期内の残時間で水量調整弁を単独駆動させる。燃焼部の能力不足や注湯時のウォーターハンマー防止のために水量調整弁の駆動の必要性があるときには水量調整弁最小動作確保モードに切換え、バイパス弁を許容値範囲内で先に単独駆動させて強制停止させ、完全停止後に１周期内の残りの割当値範囲内で水量調整弁を単独駆動させて水量調整弁の駆動を確保する。【選択図】      図５
2005156075.tif 000002
【特許請求の範囲】
【請求項１】
燃料を燃焼させる燃焼部と、この燃焼部からの燃焼熱を受けて加熱される熱交換器と、この熱交換器に水を入水させる入水経路と、上記熱交換器で加熱された湯を出湯させる出湯経路と、上記入水経路から上記熱交換器を通らずに出湯経路の湯に混水させるバイパス経路と、このバイパス経路に設けられて混水のためにこのバイパス経路を通過するバイパス流量を変更調整するバイパス流量調整弁と、上記出湯経路に設けられて出湯流量を変更調整する出湯流量調整弁とを備えた給湯装置を対象にして、上記バイパス流量調整弁及び出湯流量調整弁を駆動制御することにより、出湯経路からの出湯流量及び／又は出湯温度を変更調整する給湯制御方法であって、
上記バイパス流量調整弁及び出湯流量調整弁を駆動する際には、いずれか一方ずつ選択的に単独駆動させるようにする
ことを特徴とする給湯制御方法。
【請求項２】
請求項１に記載の給湯制御方法であって、  
上記バイパス流量調整弁を、上記出湯流量調整弁に優先させて先に駆動させる、給湯制御方法。
【請求項３】
請求項２に記載の給湯制御方法であって、
上記バイパス流量調整弁及び出湯流量調整弁についての各要求駆動量の演算を所定の制御周期毎に実行する一方、
各制御周期毎に、バイパス流量調整弁を演算された要求駆動量について駆動し、このバイパス流量調整弁を駆動停止させた後のその制御周期内の残時間に出湯流量調整弁を駆動するようにする、給湯制御方法。
【請求項４】
請求項２に記載の給湯制御方法であって、
上記バイパス流量調整弁及び出湯流量調整弁についての各要求駆動量の演算を所定の制御周期毎に実行する一方、
１制御周期を、バイパス流量調整弁の駆動を許可する時間範囲と、それ以外の時間範囲内であって出湯流量調整弁の駆動を許可する時間範囲とに時分割し、各制御周期毎に、バイパス流量調整弁又は出湯流量調整弁の駆動を上記各要求駆動量に基づいて上記各時間範囲内に限り許可するようにする、給湯制御方法。
【請求項５】
請求項２〜請求項４のいずれかに記載の給湯制御方法であって、
バイパス流量調整弁と、出湯流量調整弁とのそれぞれの単独駆動時間の間に、バイパス流量調整弁及び出湯流量調整弁の双方が完全停止した微小の待機時間を介在させるようにする、給湯制御方法。
【発明の詳細な説明】
【技術分野】
【０００１】
本発明は、給湯装置における給湯制御方法に関し、特に、給湯装置の給湯運転のために必要な電源容量を低減化し得る制御技術に係る。
【背景技術】
【０００２】
従来、給湯装置において、それぞれステッピングモータにより駆動される２つの水量調整弁の制御として、２つのステッピングモータに対する電源供給路をオン／オフ制御し、各ステッピングモータを極めて短い時間間隔毎に駆動制御するものが知られている（例えば特許文献１参照）。そして、これにより、ステッピングモータ毎に個別に備えていた２つの駆動回路（駆動ＩＣ）を１つ省略して１つの駆動回路で済ませるようにしている。
【０００３】
【特許文献１】特開２００２−１６５４９５号公報
【発明の開示】
【発明が解決しようとする課題】
【０００４】
ところで、給湯装置には、近年、ＴＶ機能付きリモコンもしくはインターフォン機能付きリモコン、又は、洗濯注湯ユニット等のオプション機器がユーザにより選択的に接続し得るようになっている。この場合、オプション機器を接続すると給湯装置の電源容量が不足気味となり、電源容量が不足してしまうと本来の給湯機能に支障が生じることにもなる。
【０００５】
そこで、必要電源容量の低減化のために、給湯装置が備える２つの流量調整弁の駆動制御に改良を加えることが考えられる。すなわち、これら流量調整弁はステッピングモータにより駆動され、特に起動時（駆動開始時）にピーク電流が消費されることになるため、２つのステッピングモータが同時起動されることを禁止して互いの起動タイミングをずらすようにすることが考えられる。
【０００６】
しかし、起動タイミングをずらすだけでは、やはり２つのステッピングモータが同時に駆動された状態になるため、同時に駆動されている間の電力消費は単独の場合の２倍となってしまい、十分な電源容量の低減化を図ることができない。例えば図６に示すように、バイパス流量調整弁（同図には「バイパス弁」と表示）の駆動開始時点（同図に○印で示すタイミング）と、出湯流量調整弁（同図には「水量調整弁」と表示）の駆動開始時点（同図に□印で示すタイミング）とを互いにずらせたとしても、２つの流量調整弁が同時に駆動された状態（同図に「駆動の重複」と表示してハッチングで表示した時間範囲参照）が生じ、この状態では単独駆動の場合のおおよそ２倍の電力消費が生じている。
【０００７】
これを解決するために、２つの流量調整弁に共に駆動要求があっても、いずれか一方を目標値（目標開度）まで単独駆動させ、停止した後に他方を単独駆動させることも考えられる。ところが、このような制御を採用すると電源容量の低減化は図り得るものの、出湯温度を所定温度に調整する上で２つの流量調整弁をそれぞれの目標値に収束させるまでに時間を要することになってしまい、給湯制御上の応答性が悪化することになる。
【０００８】
本発明は、このような事情に鑑みてなされたものであり、その目的とするところは、電源容量の低減化を図りつつも、給湯制御上の応答性悪化を招かないようにし得る給湯制御方法を提供することにある。
【課題を解決するための手段】
【０００９】
上記目的を達成するために、請求項１に係る発明では、燃料を燃焼させる燃焼部と、この燃焼部からの燃焼熱を受けて加熱される熱交換器と、この熱交換器に水を入水させる入水経路と、上記熱交換器で加熱された湯を出湯させる出湯経路と、上記入水経路から上記熱交換器を通らずに出湯経路の湯に混水させるバイパス経路と、このバイパス経路に設けられて混水のためにこのバイパス経路を通過するバイパス流量を変更調整するバイパス流量調整弁と、上記出湯経路に設けられて出湯流量を変更調整する出湯流量調整弁とを備えた給湯装置を対象にして、上記バイパス流量調整弁及び出湯流量調整弁を駆動制御することにより、出湯経路からの出湯流量及び／又は出湯温度を変更調整する給湯制御方法を対象として、次の特定事項を備えることとした。すなわち、上記バイパス流量調整弁及び出湯流量調整弁を駆動する際には、いずれか一方ずつ選択的に単独駆動させるようにした。
【００１０】
この請求項１に係る発明の場合、バイパス流量調整弁及び出湯流量調整弁が同時に駆動されて重複した電力消費状態にはならずに、駆動されるにしても単独駆動されるため、同時駆動の場合の半分の電力消費で済む。このため、給湯装置が備えるべき電源容量を同時駆動制御の場合よりも低減化させることが可能となる。
【００１１】
上記請求項１に係る発明においては、上記バイパス流量調整弁を、上記出湯流量調整弁に優先させて先に駆動させることが好ましい（請求項２）。バイパス流量調整弁の駆動によるバイパス流量の変更調整により熱交換器で加熱された湯に対する混水量が変化し、混水後の給湯温度の温調に対し直接的に作用する。このため、バイパス流量調整弁の駆動を優先させることにより、給湯温度の温調（所定の設定給湯温度への温調）をより迅速かつ効果的に実現させ得ることになる。
【００１２】
又、この請求項２に係る発明においては、次の追加事項を備えた給湯制御方法とすることがより好ましいものとし得る。すなわち、第１の追加事項としては、上記バイパス流量調整弁及び出湯流量調整弁についての各要求駆動量の演算を所定の制御周期毎に実行する一方、各制御周期毎に、バイパス流量調整弁を演算された要求駆動量について駆動し、このバイパス流量調整弁を駆動停止させた後のその制御周期内の残時間に出湯流量調整弁を駆動するようにする（請求項３）。このようにすることにより、バイパス流量調整弁の完全優先駆動による迅速かつ効果的な給湯温度の温調を実現しつつ、各制御周期内の残時間を出湯流量調整弁の駆動時間として有効活用することが可能となって、バイパス流量調整弁及び出湯流量調整弁の双方を最終目標値まで早期に到達させることが可能となる。これにより、バイパス流量調整弁及び出湯流量調整弁の双方の要求駆動量を満たすための全体の動作時間の短縮化が図られ、給湯制御上の応答性悪化を招かないようにし得る。
【００１３】
第２の追加事項としては、上記バイパス流量調整弁及び出湯流量調整弁についての各要求駆動量の演算を所定の制御周期毎に実行する一方、１制御周期を、バイパス流量調整弁の駆動を許可する時間範囲と、それ以外の時間範囲内であって出湯流量調整弁の駆動を許可する時間範囲とに時分割し、各制御周期毎に、バイパス流量調整弁又は出湯流量調整弁の駆動を上記各要求駆動量に基づいて上記各時間範囲内に限り許可するようにする（請求項４）。このようにすることにより、バイパス流量調整弁を上記の所定の時間範囲内での優先駆動を実現させつつも、出湯流量調整弁の駆動をも早期に確保し得ることになる。すなわち、バイパス流量調整弁はその要求駆動量の如何に拘わらず、上記の所定の時間範囲内での駆動量に制限しつつ、各制御周期内の他の時間範囲内で出湯流量調整弁の駆動を確保し得る。
【００１４】
第３の追加事項として、バイパス流量調整弁と、出湯流量調整弁とのそれぞれの単独駆動時間の間に、バイパス流量調整弁及び出湯流量調整弁の双方が完全停止した微小の待機時間を介在させるようにする（請求項５）。このようにすることにより、例えばバイパス流量調整弁に停止信号を出力してから完全に停止するまでの信号送出遅れ又は作動遅れ等に起因する相互干渉が防止され、消費される電流の重複も回避される。又、待機時間は微小時間（例えば１msec）が設定されるため、バイパス流量調整弁又は出湯流量調整弁のための駆動時間にロスを招くこともない。
【発明の効果】
【００１５】
以上、説明したように、請求項１〜請求項５のいずれかの給湯制御方法によれば、バイパス流量調整弁及び出湯流量調整弁が同時に駆動されて重複した電力消費状態になることを確実に回避して、それぞれを単独駆動制御することにより同時駆動の場合の半分の電力消費とすることができる。このため、給湯装置が備えるべき電源容量を同時駆動制御の場合よりも低減化させることができる。
【００１６】
特に、請求項２によれば、電源容量の低減化を図りつつ、バイパス流量調整弁の駆動を優先させることにより給湯温度の温調をより迅速かつ効果的に実現させることができる。
【００１７】
請求項３によれば、バイパス流量調整弁の完全優先駆動による迅速かつ効果的な給湯温度の温調を実現しつつ、各制御周期内の残時間を出湯流量調整弁の駆動時間として有効活用することができ、バイパス流量調整弁及び出湯流量調整弁の双方を最終目標値まで早期に到達させることができる。これにより、バイパス流量調整弁及び出湯流量調整弁の双方の要求駆動量を満たすための全体の動作時間の短縮化を図ることができ、給湯制御上の応答性悪化を招かないようにすることができる。
【００１８】
請求項４によれば、バイパス流量調整弁を所定の時間範囲内という一定の制限を加えつつも優先駆動させることができ、給湯温度の温調の早期実現を果たすことができる。その一方、出湯流量調整弁の駆動をも早期に確保することができ、出湯流量調整弁の早期の駆動が必要となる事態に対処することができる。
【００１９】
請求項５によれば、バイパス流量調整弁や出湯流量調整弁の駆動部（例えばステッピングモータ）に停止信号を出力してから完全に停止するまでの信号送出遅れ又は作動遅れ等に起因する相互干渉を防止して、消費される電流の重複も回避させることができる。
【発明を実施するための最良の形態】
【００２０】
以下、本発明の実施形態を図面に基づいて説明する。
【００２１】
図１は、本発明の実施形態を実施する給湯装置の例を示す。この給湯装置２は、図示省略の燃焼缶体に配設された熱交換器２１と、図示省略の水道管等の給水源から給水を受けて上記熱交換器２１に入水させる入水経路２２と、上記熱交換器２１で加熱された湯が出湯される出湯経路２３と、上記入水経路２２の水を熱交換器２１を通過させずに出湯経路２３に流して熱交換器２１から出湯された湯に対し混水するためのバイパス経路２４と、上記燃焼缶体内に配設されてその燃焼熱で上記熱交換器２１を加熱する燃焼バーナ２５と、上記バイパス経路２４に介装されたバイパス流量調整弁２６と、上記出湯経路２３に介装された出湯流量調整弁２７とを備えている。
【００２２】
上記入水経路２２には入水流量センサ２２１及び入水温度センサ２２２が設けられ、又、上記出湯経路２３には、上記バイパス経路２４の下流端との合流位置よりも上流側位置において燃焼缶体内の熱交換器で加熱され直後の出湯温度を検出する出湯温度センサ２３１と、上記合流位置よりも下流側位置においてバイパス経路２４からの混水による温調後の温度であって給湯栓３や後述の浴槽等に給湯される給湯温度を検出する給湯温度センサ２３２とが設けられている。また、出湯経路２３の少なくとも出湯流量調整弁２７よりも下流側位置から給湯栓３に延びる給湯用配管とは別に浴槽に延びる注湯経路２８が分岐され、この注湯経路２８に介装された注湯弁２９を閉状態から開変換することにより出湯経路２３の湯が浴槽に注湯されるようになっている。
【００２３】
上記燃焼バーナ２５は、外部から燃料の供給を受けて燃焼させるものである。そして、図示省略の燃料供給管やその燃料供給を調整する各種弁や点火手段等を備えており、これらの作動制御により燃焼開始・停止や燃焼量変更等の燃焼制御が行われる燃焼部を構成している。
【００２４】
上記バイパス流量調整弁２６は、図示省略の駆動部としてのステッピングモータの駆動により弁の開度（開弁量）が変更調整されるものであり、上記ステッピングモータの駆動制御によりバイパス流量が変更調整されるようになっている。そして、バイパス流量が変更調整されると、熱交換器２１からの出湯に対し混水される水の流量が変更調整され、給湯栓３に対する給湯温度の温調が行われるようになっている。このようなバイパス流量調整弁２６は、「混水流量調整弁」、「湯水混合弁」又は「バイパスサーボ弁」等の名称で呼ばれることがあるが、これらと同じものである。なお、このバイパス流量調整弁２６は、図面等では「バイパス弁」と短縮した名称で表示しており、以下の実施形態では「バイパス弁」と称する。
【００２５】
上記出湯流量調整弁２７は、上記と同様に図示省略の駆動部としてのステッピングモータの駆動により弁の開度（開弁量）が変更調整されるものであり、上記ステッピングモータの駆動制御により出湯流量が変更調整されるようになっている。そして、この出湯流量調整弁２７は、燃焼バーナ２５を例えば最大能力で燃焼させたとしても設定給湯温度での給湯が不能な場合に、通過流量（出湯流量）を絞って熱交換器２１からの出湯温度を設定給湯温度以上に高めるために出湯流量を変更調整するようになっている。又、熱交換器２１からの出湯温度を設定給湯温度よりもかなり高い所定の高温度にしてバイパス経路２４からの混水により設定給湯温度に温調するためにも、上記出湯流量調整弁２７の開弁量の変更調整が行われる。このような出湯流量調整弁２７は、「過流出防止弁」、「水量調整弁」又は「水量サーボ弁」等の名称でも呼ばれることがあるが、これらと同じものである。なお、この出湯流量調整弁２７は、図面等では「水量調整弁」という短縮した別称で表示しており、以下の実施形態では「水量調整弁」と称する。
【００２６】
以上の給湯装置２はリモコン４１を備えたコントローラ４による給湯制御によって給湯運転や注湯運転が行われるようになっている。すなわち、図２にも示すように、コントローラ４は、入水流量センサ２２１による流量検出値や、入水温度センサ２２２、出湯温度センサ２３１及び給湯温度センサ２３２による温度検出値に基づいて、給湯栓３等に対する給湯温度がリモコン４１に設定された設定給湯温度になるように、燃焼バーナ２５の燃焼量、出湯流量調整弁（水量調整弁）２７の開弁量及びバイパス流量調整弁（バイパス弁）２６の開弁量の演算を行い、これらの作動制御を行うことにより給湯制御を行うようになっている。
【００２７】
以下、上記コントローラ４による給湯制御における上記バイパス弁２６及び水量調整弁２７の駆動制御について説明すると、上記バイパス弁２６及び水量調整弁２７は両者が同時に駆動されることが禁止され、いずれか一方が選択的に単独駆動されるようにしている。このような駆動制御として、バイパス弁完全優先モードの場合と、水量調整弁最小動作確保モードの場合とがある。バイパス弁完全優先モードとは、バイパス弁２６の駆動を水量調整弁２７の駆動よりも完全に優先させるものである。つまり、水量調整弁２７に駆動要求があってもバイパス弁２６の駆動要求を先に満たし、バイパス弁２６の駆動要求を満たして停止させた上で時間が余ればその余った時間を活用して水量調整弁２７の駆動を行うものである。又、水量調整弁最小動作確保モードとは、バイパス弁２６の駆動を水量調整弁２７の駆動よりも優先させることを原則としつつも、所定条件の成立時で水量調整弁２７に駆動要求があるときにはバイパス弁２６の駆動を所定の許容値（許容ステップ数）までは先に実行させそれ以後はバイパス弁２６の駆動を停止させて水量調整弁２７を所定の割当値（割当ステップ数）範囲内で駆動させるというものである。上記の許容値と、割当値としては、後述の１周期内を所定比率で時分割した時間内に動作可能なステップ数を予め設定するものであり、後述の１周期である１００msecを例えば１：１に時分割するとすれば５００msecずつの間に動作可能なステップ数が設定される。なお、この際に、バイパス弁２６及び水量調整弁２７を共に完全停止させる相互干渉防止用の微小時間（例えば１msec）を控除する。
【００２８】
上記のバイパス弁完全優先モードと、水量調整弁最小動作確保モードとの切換えは次のようにして行われる。すなわち、通常条件ではバイパス完全優先モードが実行され、所定条件が成立すると水量調整弁最小動作確保モードに切換えられる。そして、その所定条件が解消すると再びバイパス弁完全優先モードに切換えられることになる。上記の所定条件とは、（イ）．出湯温度センサ２３１による出湯温度が設定給湯温度よりも低いとき（出湯温度＜設定給湯温度）、つまり、設定給湯温度での給湯を行うには緊急に水量調整弁２７の開弁量を絞って出湯流量を低くする必要があるとき（この場合の所定条件解消は、出湯温度≧設定給湯温度＋２℃になったとき）、（ロ）．浴槽への注湯開始指令に出力により注湯弁２９の開変換開始前に、ウォーターハンマー防止のために水量調整弁２７の開度を変更させる必要のあるとき（この場合の所定条件解消は、注湯弁２９の開変換後に水量調整弁２７が通常作動状態に復帰したとき）、（ハ）．浴槽への注湯終了指令の出力により注湯弁２９の閉変換開始前に、ウォーターハンマー防止のために水量調整弁２７の開度を所定最小開度（例えば１０Ｌ／minに相当する小開度）又は全閉位置への変換が必要になったとき（この場合の所定条件解消は、注湯弁２９の閉変換後に水量調整弁２７が通常作動状態に復帰したとき）、のいずれかである。
【００２９】
上記の２種類のモードにおけるコントローラ４による給湯制御は、共にメイン制御周期毎にバイパス弁２６及び水量調整弁２７の各要求駆動量の演算を行うメイン制御を行い、演算された要求駆動量に基づいて次回の制御周期の到来までの間に後述のタイマ割込制御を実行させることによりバイパス弁２６及び水量調整弁２７の駆動制御を行うことにより実現されることになる。
【００３０】
上記メイン制御は、所定時間間隔（所定周期）毎のメイン制御周期の到来毎に各種検出値を読み込み、読み込んだ検出値に基づいてその時点での上記バイパス弁２６及び水量調整弁２７の目標開弁量までの駆動量（要求駆動量）を演算するようになっている。すなわち、図３に示すように所定周期（例えば１００msec）が経過する毎に上記の温度検出値や流量検出値を読み込み（ステップＳＡ１でＹＥＳ，ステップＳＡ２）、これらの検出値に基づいてバイパス弁２６の要求駆動量の演算（ステップＳＡ３）を行い、引き続いて、同様に上記検出値に基づいて水量調整弁２７の要求駆動量の演算（ステップＳＡ４）とを行う。なお、図３では所定周期の到来によりバイパス弁２６の要求駆動量演算と、水量調整弁２７の要求駆動量演算とを開始するように図示しているが、両者の要求駆動量演算は微小時間の時間的ずれがあり、上記の１００msec範囲内で互いにその要求駆動量演算タイミングはずれている。ここで、要求駆動量が「０」の場合には駆動要求がないことを意味し、目標値（目標開度もしくは目標流量値）と、現在値（現在開度もしくは現在流量値）との間に偏差があれば、駆動要求があることを意味し、その偏差が要求駆動量として演算される。
【００３１】
そして、演算された二つの要求駆動量に基づくバイパス弁２６の駆動（バイパス弁２６の駆動部であるステッピングモータの駆動）と、水量調整弁２７の駆動（水量調整弁２７の駆動部であるステッピングモータの駆動）との各制御が図４のフローチャートに示すタイマ割込制御により実行され、この結果、上記バイパス弁２６及び水量調整弁２７の各駆動はバイパス弁完全優先モードの場合には図５（ａ）に例示するタイムチャートの如くなり、水量調整弁最小動作確保モードの場合には図５（ｂ）に例示するタイムチャートの如くなる。
【００３２】
すなわち、上記所定周期の間（今回周期から次回周期の到来までの間）、すなわち、１００msecの間に図４のタイマ割込制御が繰り返される。このタイマ割込制御は例えば１msec毎のタイマ割込であれば、上記の１００msecの周期の間に１００回繰り返されることになる。例えば１msec毎に、今回周期での演算の結果、バイパス弁２６に駆動要求があれば（ステップＳ１でＹＥＳ）、その時点で水量調整弁２７の駆動停止が確定しているか否かを判定し（ステップＳ２）、駆動停止が確定していればバイパス弁２６（バイパス弁２６のステッピングモータ）を駆動（ステップ動作）させる（ステップＳ２でＹＥＳ，ステップＳ３）。
【００３３】
次に、現在のモードはバイパス完全優先モードであるか否かを確認する（ステップＳ４）。バイパス弁完全優先モードの場合を先に説明すると、ステップＳ４でバイパス弁完全優先モードであれば、水量調整弁２７の駆動を停止状態にする停止信号を出力してリターンし（ステップＳ４でＹＥＳ，ステップＳ７）、上記のステップＳ１〜Ｓ４を繰り返すことによりバイパス弁２６のステップ動作をバイパス弁２６の要求駆動量を満たすまで繰り返す。そして、バイパス弁２６の要求駆動量（要求ステップ数）まで駆動させて駆動要求が無くなると（ステップＳ１でＮＯ）、バイパス弁２６に停止信号を出力し（ステップＳ８）、停止信号出力後に完全停止状態になるまでの待機時間（１msec）の経過を待つ（ステップＳ９）。この待機時間が経過するまでは水量調整弁２７に対する停止信号出力を継続し（ステップＳ９でＮＯ，ステップＳ７）、待機時間が経過すればバイパス弁２６の停止が確定したとして、次に水量調整弁２７に駆動要求があるか否かを確認する（ステップＳ９でＹＥＳ，ステップＳ１０，Ｓ１１）。水量調整弁２７に駆動要求があれば、その水量調整弁２７のステップ動作を行いリターンする（ステップＳ１１でＹＥＳ，ステップＳ１２）。そして、１周期（１００msec）の残りの時間（バイパス弁２６の駆動要求を満たした余りの時間）内でステップＳ１，Ｓ８〜Ｓ１２を繰り返す。その残りの時間内に水量調整弁２７に対する要求駆動量を満たせば、駆動要求が無くなるためステップＳ１１で「ＮＯ」となり水量調整弁２７に停止信号を出力し（ステップＳ１３）、停止信号出力から待機時間（１msec）の経過を待って停止を確定させる（ステップＳ１４でＹＥＳ，ステップＳ１５）。一方、上記の残りの時間内で到達し得るステップ数まで水量調整弁２７を駆動させてもその要求駆動量まで到達しないときには、今回の周期（１００msec）が経過して次回の周期が開始されると、上記のステップＳ１〜Ｓ４を経てステップＳ７で水量調整弁２７に停止信号が出力されて、その停止確定を待って次回のバイパス弁２６のステップ動作が開始される（ステップＳ１，ステップＳ２でＹＥＳ，ステップＳ３）。
【００３４】
以上を図５（ａ）により説明する。図５では、メイン制御におけるバイパス弁２６の要求駆動量演算タイミングを○印で示し、水量調整弁２７の要求駆動量演算タイミングを□印で示している。ここで、１つ目の○印から２つ目の○印までを仮に第１周期、以下順に第２周期、第３周期、…と呼ぶこととすると、バイパス弁２６が第１周期から引き続いて第２周期の半ばまで駆動されて各要求駆動量分だけ駆動されて停止すると、待機時間Ｗの経過後に水量調整弁２７が第２周期の残りの時間だけ駆動され、第３周期の開始により水量調整弁２７の駆動が強制停止されることになる。そして、待機時間Ｗの経過後に再びバイパス弁２６が駆動されて、第３周期の半ばで目標値に到達して要求駆動量を満たせば停止され、待機時間Ｗの経過後に第３周期の残りの時間に水量調整弁２７が駆動される。以下、同様に第４周期や第５周期でも、それぞれ要求駆動量だけバイパス弁２６が駆動されて、余りの残った時間内で水量調整弁２７が駆動される。そして、バイパス弁２６がついに最終の目標値まで収束すると、第６周期ではバイパス弁２６の駆動要求は無いため、水量調整弁２７の要求駆動量演算タイミングから即座に水量調整弁２７の駆動が開始されることになる。
【００３５】
以上により、設定給湯温度での給湯制御において、その設定給湯温度への温調に直接的かつ最も影響の大きいバイパス弁２６の駆動を水量調整弁２７よりも優先させて先に駆動させることにより早期に設定給湯温度での給湯を実現させつつ、各周期におけるバイパス弁２６の駆動時間を除いた残りの時間を水量調整弁２７の駆動時間として有効活用することによりバイパス弁２６及び水量調整弁２７の双方が最終目標位置まで収束するまでの動作時間を短縮させることができる。
【００３６】
次に、水量調整弁最小動作確保モードの場合について説明すると、上記の図４のステップＳ４でのモード確認において現在のモードがバイパス弁完全優先モードではない、つまり水量調整弁最小動作確保モードであれば（ステップＳ４でＮＯ）、バイパス弁２６のそれまでの動作ステップ数が許容値（許容ステップ数）Ｍまで達していなければ（ステップＳ５でＮＯ）、ステップＳ７で水量調整弁２７には停止信号出力を継続し、リターンしてステップＳ１〜Ｓ３を繰り返してバイパス弁２６のステップ動作を持続させる。その一方、ステップＳ４の確認を経てステップＳ５での判定においてバイパス弁２６の動作ステップ数が許容値まで達していれば（ステップＳ５でＹＥＳ）、バイパス弁２６の駆動要求を強制的にＯＦＦ、つまり駆動要求を解除してリターンさせる。これにより、リターン後のステップＳ１での判定が「ＮＯ」となってバイパス弁に停止信号が出力され（ステップＳ８）、ステップＳ９〜Ｓ１１を経て水量調整弁２７のステップ動作が開始される（ステップＳ１２）。以後、リターンしてステップＳ１，ステップＳ８〜Ｓ１２が繰り返されることにより上記の許容値に相当する時間以外の１周期内の残りの時間について水量調整弁２７の駆動が確保される。なお、上記のバイパス弁の停止信号出力から停止確定により水量調整弁２７の駆動が開始されるまでに、上記と同様の待機時間Ｗ（例えば１msec）の経過が条件とされ（ステップＳ９でＮＯ）、これにより、各弁の停止信号出力から実際に停止するまでの動作遅れに起因する両弁の相互干渉を回避することができる。
【００３７】
要するに、１周期の間に、バイパス弁２６は上記許容値Ｍまでは優先して駆動されるものの、バイパス弁２６の要求駆動量（要求ステップ数）Ａｂが許容値（許容ステップ数）Ｍを超えている場合でもバイパス弁２６は許容値Ｍまでしか駆動されずに停止される。そして、上記許容値Ｍに相当する動作時間と前後の待機時間Ｗとを１周期から控除した残り時間で水量調整弁２７の駆動が確保される。この水量調整弁２７が駆動し得るステップ数を割当値（割当ステップ数）Ｎと呼ぶこととすると、１周期の駆動時間をバイパス弁２６駆動用の許容値Ｍと、水量調整弁２７駆動用の割当値Ｎとで分割（時分割）するということができる。ここで、仮に許容値Ｍと、割当値Ｎとを１：１として１周期（１００msec）を時分割したとすると、待機時間Ｗ（１msec）として前後２回分を控除した残りの９８msecを１：１で分割して許容値Ｍとして４９msec分のステップ数、割当値Ｎとして４９msec分のステップ数が設定されることになる。この場合に、上記の水量調整弁最小動作確保モードにおいて１周期で起こり得る種々のパターンについて、図５（ｂ）に基づいて説明すると、次のようになる。
【００３８】
すなわち、第１パターンＩは、バイパス弁２６の要求駆動量Ａｂが許容値Ｍよりも小さく、水量調整弁２７の要求駆動量Ａｓが割当値Ｎと等しいか大きいケースである。つまり、Ａｂ＜Ｍ，Ａｓ≧Ｎである。以下同様に表現すると、第２パターンIIは、Ａｂ≧Ｍ，Ａｓ≧Ｎのケースであり、第３パターンIIIは、Ａｂ＜Ｍ，Ａｓ＜Ｎのケースであり、第４パターンIVは、Ａｂ≧Ｍ，Ａｓ＜Ｎのケースであり、第５パターンＶは、Ａｂ≧Ｍ，Ａｓ＝０（駆動要求なし）のケースであり、第６パターンVIは、Ａｂ＝０（駆動要求なし），Ａｓ≧Ｎのケースである。つまり、水量調整弁２７の駆動要求がある限り、バイパス弁２６はその要求駆動量Ａｂの如何に拘わらず許容値Ｍまでの駆動量に制限され、水量調整弁２７は割当値Ｎを最大としてその駆動が許可されて確保される。一方、水量調整弁２７の駆動要求が無ければ、バイパス弁２６は１周期内を要求駆動量Ａｂの全量の駆動が可能となり（第５パターンＶ参照）、バイパス弁２６の駆動要求が無ければ、水量調整弁２７は１周期内を要求駆動量Ａｓの全量の駆動が可能となる（第６パターンVI参照）。
【００３９】
以上によれば、バイパス弁完全優先モード及び水量調整弁最小動作確保モードのいずれであっても、バイパス弁２６及び水量調整弁２７は同時に駆動状態に陥ることはなく、確実に単独駆動状態に制御することができる。これにより、同時に駆動状態に陥る場合に比べ、給湯制御に必要な電源容量を確実に低減化させることができる。しかも、給湯温度の制御に直接的に影響するバイパス弁２６の駆動を水量調整弁２７の駆動よりも優先させて先に駆動させるようにしているため、給湯温度をより迅速に設定給湯温度に温調させることができる。その上に、上記水量調整弁２７の駆動を所定の制御周期内のバイパス弁２６の駆動時間の残時間を活用して行わせているため、バイパス弁２６の要求駆動量を単独で全量駆動した後に、水量調整弁２７の要求駆動量を単独で全量駆動するというような制御を行う場合に比べ、バイパス弁２６及び水量調整弁２７の双方を所定の最終開度目標値まで収束させるための所要駆動時間を短縮することができる。つまり、早期に最終開度目標値まで収束させて、早期に給湯温度の温調を実現させることができ、給湯制御上の応答性悪化を招かないようにすることができる。更に、かかる効果を得つつも、水量調整弁２７の駆動が必要な条件になれば水量調整弁最小動作確保モードに切換えられるため、バイパス弁２６の駆動を優先しつつも、水量調整弁２７の駆動をも確実に確保することができる。これにより、給湯温度の調整を早期に実現させつつ水量調整弁２７に対する要請も満たすことができる。
【００４０】
上記の電源容量の低減化について具体的に説明すると、次のようになる。すなわち、標準で３．０Ａ（アンペア）の電源容量を有する給湯装置においては、その給湯装置自体の機能を実現させるために必要なピーク電流は、バイパス弁２６及び水量調整弁２７のピーク電流値がそれぞれ０．７２Ａ、その他の機器の定常状態での最大電流が０．５４Ａ、追加リレーを設けても０．０４Ａである。このため、上記のバイパス弁２６及び水量調整弁２７が同時駆動する場合であると、ピーク電流の合計値は２．０２Ａ（０．７２＋０．７２＋０．５４＋０．０４＝２．０２）となり、上記のバイパス弁２６及び水量調整弁２７が単独駆動のみの本実施形態の場合であると、ピーク電流の合計値は１．３０Ａ（０．７２＋０．５４＋０．０４＝１．３０）となる。この給湯装置に対し、オプション機器として浴室用に例えば６インチ液晶画面のテレビ及びインターホン機能付きのリモコンを増設するとすれば、そのピーク電流は１．６３Ａであるため、上記の同時駆動の場合のピーク電流合計値に追加すると３．６５Ａ（２．０２＋１．６３＝３．６５）となって３．０Ａの電源容量では不足することになる。これに対し、単独駆動の本実施形態の場合のピーク電流合計値に追加しても２．９３Ａ（１．３０＋１．６３＝２．９３）となって３．０Ａの電源容量で足りることになる。要するに、同時駆動させる場合にはそれぞれのピーク電流値０．７２Ａの２倍である１．４４Ａを要するところ、単独駆動させる本実施形態の場合にはバイパス弁２６及び水量調整弁２７の２つの弁駆動ではあってもピーク電流値は０．７２Ａだけで済む。
【００４１】
＜他の実施形態＞
なお、本発明は上記実施形態に限定されるものではなく、その他種々の実施形態を包含するものである。すなわち、上記実施形態では、水量調整弁２７がバイパス経路２４との合流点よりも下流側位置の出湯経路２３に配設されている場合について説明したが、上記合流点よりも上流側位置の出湯経路２３に水量調整弁（出湯流量調整弁）が配設されている場合にも本発明を適用することができる。要するに、バイパス弁（バイパス流量調整弁）２６と、水量調整弁（出湯流量調整弁）２７との２つの弁駆動制御により給湯装置からの給湯の温度制御が行われるものであれば、本発明の給湯制御方法を適用し得る。
【００４２】
もちろん、燃焼部の燃料として気体燃料（ガス）を使用する給湯装置であっても、液体燃料（石油）を使用する給湯装置であっても、本発明を適用し得る。
【００４３】
又、上記実施形態では１制御周期として「１００msec」を例示したが、これに限らず、給湯装置全体の給湯機能に応じて具体的な時間値（制御周期）を設定すればよい。この点については、上記実施形態で「１msec」と例示した待機時間においても同様である。
【図面の簡単な説明】
【００４４】
【図１】本発明の実施形態を適用する給湯装置例の模式図である。
【図２】コントローラ等の構成を示すブロック図である。
【図３】メイン制御のフローチャートである。
【図４】タイマ割込制御のフローチャートである。
【図５】メイン制御周期と、バイパス弁及び水量調整弁の駆動状況との関係を示すタイムチャートであり、図５（ａ）はバイパス弁完全優先モードの場合、図５（ｂ）は水量調整弁最小動作確保モードの場合の各例を示す。
【図６】従来のバイパス弁及び水量調整弁の駆動状況を示すタイムチャートである。
【符号の説明】
【００４５】
２        給湯装置
４        コントローラ
２１      熱交換器
２２      入水経路
２３      出湯経路
２４      バイパス経路
２５      燃焼バーナ（燃焼部）
２６      バイパス弁（バイパス流量調整弁）
２７      水量調整弁（出湯流量調整弁）
【図１】
2005156075.tif 000003
【図２】
2005156075.tif 000004
【図３】
2005156075.tif 000005
【図４】
2005156075.tif 000006
【図５】
2005156075.tif 000007
【図６】
2005156075.tif 000008